(57)【要約】      （修正有）【課題】エネルギー保存の法則が破れている自然の問題で重力、電磁気力、核力エネルギーを連続的に制御する装置を提供する。【解決手段】電流、磁束、起磁力、そして消費発生時間の四象限を一つの空間として併せ持つモーターを多段にすることにより、各段の回転数と時間の積を掛け合わせ各段Ｎ乗とする出力部の時間と回転数との積である加速高速回転可能なベアリングを得る。重力場では投入電力に対し各段駆動回転体の回転トルクが各段回転体のトルクの和である。他方、電磁気力を用い連動して多段にすると、発電と駆動の逆流する抵抗電流を無くする為の役割をする一段目駆動モーターと二段目発電機が同回転方向で連動し電流方向と磁束方向が互いに逆である回転子を使用することが可能となり、内部発電電流は重力場を超えた内部発電抵抗の無い駆動方向に印加する常温超電導電流となる。それにより各段のローターが磁気浮上し起磁力は駆動力として利用できる。【選択図】なし【特許請求の範囲】
【請求項１】
四っのゲージ場の内の一つである重力場で閉じた三つのそれぞれのゲージ場＝弱い力、電磁力、核力それぞれの内側のみのことであるエネルギー普遍を、普遍を超える重力場における核力にいたる自然のエネルギーとして、電流方向、磁力方向、起力方向、消費発生の時間の四次元をプラスとマイナス併せ持つ電動モーターを多段電磁起力として利用し、重力から核力に到るエネルギーを発生させる方法及び装置
【請求項２】
同軸上で親モーターの回転子に子モーターを載せ、子モーター回転子に孫モーターを載せ、孫モーター回転子に曾孫モーターを載せる多段モーター。
【請求項３】
回転する内外部の送受電装置に遠心力を利用して電子を送受電する方法及び装置
【請求項４】
回転体の外側から電子を回転体の内側に通電するに、腕を廻し回転体の中心から外に向けて電気を流す方法及び装置
【請求項５】
回転体の内側から回転体の外側に電子を通電するに、回転体の中心から外に向けて電気を流す方法及び装置
【請求項６】
中間モーター固定子を重力場から開放した、同軸多段モーターの一段目と二段目の駆動電流方向を逆方向にすることにより、内部発電電流方向をモーター駆動方向に上乗せし発電抵抗を無くし常温超伝導とし、其れにより回転子、出力軸回転子を磁気浮上させ、且つ発電マイナス磁力をプラス方向である出力軸回転に変える方法及び発電駆動装置。
【請求項７】
モーター駆動電源の端子と位置決め装置を具備しかつ磁束の形成する巾、又は角度二分の一、位相のずれを持つ発電電源の端子と位置決め装置を具備し、駆動電気と自己誘導発電との電気回路を別にし、駆動モーター自己誘導内部発電抵抗を、他電源として有効利用する方法及び駆動発電モーター。
【請求項８】
駆動発電モーターと発電駆動モーターの駆動電源回路と発電電源回路が別回路である多段駆動発電モーター。
【請求項９】
発電駆動モーターと駆動発電モーターの発電回路と駆動回路が別回路である多段発電駆動モーター。
【請求項１０】
上記請求項７の位置決め装置がブラシか、あるいは光センサーか、あるいは磁気センサーか、あるいは周波数同調位置決め装置である駆動発電及び発電駆動装置。
【請求項１１】
電源が直流である上記請求項の駆動発電及び発電駆動モーター
【請求項１２】
電源が交流である上記請求の駆動発電及び発電駆動モーター
【請求項１３】
多連である上記請求項の駆動発電及び発電駆動モーター
【請求項１４】
中間固定子を重力場から開放し出力軸回転子とする多段である上記請求項の発電駆動及び駆動発電モーター
【請求項１５】
多段モーターの送受電面が円盤上である多段モーター
【請求項１６】
同軸上で互いに回転方向が逆方向の二組の多段モーターを向かい合わせに繋ぐ方法及び装置
【請求項１７】
交流モーター及び交流多段モーター送電及び受電装置が鉄心に巻かれたコイルであり、駆動と発電の位相のずれ検知センサーを具備し駆動と発電の電源を振り分ける方法及び装置
【発明の詳細な説明】
【技術分野】
【０００１】多段駆動高速回転電動モーター及び発電及び通電
【背景技術】
【０００２】従来の電動モータの回転数は早くても毎秒１０００回転どまりである、又発電も火力発電のように入力エネルギーの半分止まりの効率か、あるいは一足飛びに核力による原子力発電である。又回転軸を保持するベアリングも毎秒１０００回転止まりである。又エネルギー普遍を超える核融合に由るエネルギー発生も爆弾止まりである。又超伝導も常温では出来ていない。通電方法が電子の質量による利用がされていない。電動駆動モーターの内部抵抗である発電が利用されていない。発電機の内部抵抗である磁力が利用されていない。電動モーターの内部抵抗である回転方向の逆向きの電流を内部でプラスマイナスして消すとして、モーターの全円周を有効磁束として利用できていない。
【発明が解決しょうとする課題】
【０００３】本発明は重力から核力に到るエネルギーの発生を多段電動駆動発電モーターに拠り自在にコントロールすることを課題としている。又高速回転軸受けの摩擦を０にすることを課題としている。多段モーターの駆動発電装置の構造を単純簡単にすることを課題としている。大型駆動発電機を小さく簡単にすることを課題としている。電磁モーターが駆動電流により駆動すると同じモーター内で発電も起こり、電流の流れ方向が駆動方向に対し逆流し、回転子が無抵抗で等速運動するのを妨げている、この抵抗である発電電流方向を回転促進する電流方向に変換することを課題としている。電磁モーターが駆動力により発電する際に、内部抵抗である吸引磁力が存在する。これを有効トルクとして利用することを課題としている。余剰エネルギーを電力に変えることを課題としている。回転のブレを無くす事を課題としている。重力場を超える回転体から電力を送受信するに、電子の質量により遠心力で電子が通電しない状態を解決することを課題としている。電磁起力モーターの発熱を無くすことを課題としている。電磁起力の±電流と±磁束と±起磁力と±時間である駆動発電とがそれぞれ等価であり、且つ１像限対３像限ベクトルが等価であり、方向が違うのを多段モーターを用い効率の良い方向にそろえることを課題としている。電磁起力モーター内駆動及び発電時の交流及び直流の電気送受を課題としている
【課題を解決する為の手段】
【０００４】発電機を駆動する駆動用モーターを同軸上二段にすることにより互いの回転数と時間を掛け合わせる容易な高速回転モーターを得ることが出来る。二段モーターを一段モーターから眺めると時間と回転数が二乗と多い、モーター本体と回転子のベアリング部の摩擦は在来技術である、一段目の回転子と回転数で同じである二段目の本体と二段目の回転子とのベアリング部での摩擦も在来技術でよい、これにより一段目回転数と時間の積を二乗する回転数まで二段目で引出すことが可能である。又逆転する多段モーター二機を向かい合わせにすることにより、高速回転ベアリング部を同回転数とすることが出来、摩擦抵抗０を容易に具現することが出来る。多段モーターを駆動するエネルギーはそれぞれ各段のモーター駆動エネルギーの和である、回転数も在来の概念では同じく各段の回転数の和である。しかしながら、これをベアリング限界回転数とする等速運動にいたる加速度運動として捉えると、毎秒のモーターの回転数は地球の一回転、一日６０×６０×２４＝８６４００分の一回転に対する回転数を言うのであり明らかなギアと考えられるからそれぞれ各段のモーターの回転数はそれぞれの段が次元となり、各段のモーター回転数×時間のＮ段乗である。これを等速運動状態にすると高速回転部を一段目より眺める時間の遅れは回転トルクとして出力を印加する。其れは多段電動モーターに於いて、媒介は第一中間子にあたる同軸同回転方向で磁束と電流方向が逆方向の一段目と二段目の回転子コイル。電磁駆動モーターの回転はベアリングの摩擦抵抗と、電磁駆動モーター内で発生する自己誘導交流発電に懸かる起電力が電流を逆流させ其れにより駆動電気と±し回転に対する内部抵抗となる。駆動電源に磁束の巾１／２ずれた発電電源より発生する電流の他電源としての利用はこの抵抗発生を防ぎ、更にこの電流を二段目発電機の回転方向を逆転させる方向に流し二段目固定子を重力場から開放し出力軸回転子とすれば、其れによる回転差速はトルクとして上がり、等速運動とすれば二段目以降は内部発電抵抗有効利用により摩擦抵抗を考慮しなければ消費電力０となる。等速運動以上のトルクである電流と、回転数である電圧の効率をトルクは同じと考えた場合高速回転でまわる発電機の回転子に対する速度は電圧の効率として加速度系であるから速度＝時間×距離の二乗であり、回転速度が速ければ速いほど電圧効率は爆発的によい。これを実現する多段モーターは一段目での駆動電動モーター内部発電電流の方向を二段目では二乗の回転数にいたる迄は逆向き、すなわち二段目発電モーター固定子を重力場から開放し駆動する方向に回転方向を向けることにより具現しようとする。これにより一段目と多段目の回転数の比１＋１＝２実際はモーターの回転数は時間を考慮しなければ歯車と同じであるから２のＮ段乗のエネルギーとして容易に引き出すことが遠心力による物質の破壊内に於いて可能となり、多段モーターを駆動するエネルギー和と多段モーター高速回転時の発電量との差が新しいエネルギー源としての手段として具現する。電子には質量が有り。異なった閉じた四次元に電子を通電させる方法として、電子の質量が遠心力により作用するのを利用し、回転軸の中心方向から外方向に向かっ��通電させることにより半導体としてのスイッチ機構を備え、荷電イオン粒子の放電のない滑らかな通電が可能となる。電動モーターは電流方向と磁束方向と起磁力方向と発電駆動時間方向とプラスマイナスする四つの等価次元が有り、これをを用い、プラスマイナスする二電動モーターの互いのプラスマイナスする四次元を中間子として共有し、己の抵抗成分である残りの四次元を他に有効成分として利用することにより、従来の抗力として己の内部で打ち消しあっていたものを、他に縁って利用してもらい、お互い交換し合うことにより効率を上げるものである。
【発明を実施するための最良の形態】
【０００５】  駆動モーターは容易に駆動モーターの自己誘導交流発電により発生する電気抵抗を、駆動電源より磁束の巾の１／２位相をずらした位置に発電電流取り出し位置とすることにより有効利用することが出来る。この駆動発電モーターを多連、多段とすることにより効率の良い電動モーターを具現する。二段目発電機は一段目駆動モーター駆動軸に支えられ、固定子を外し出力軸回転子とすることにより、合わせて駆動電源より一段目駆動発電モーター発生電流を得、其れに寄る出力軸回転子に内在する磁気吸引力以上の電磁起力のトルクを印加すると共に、回転子と出力軸回転子との回転差速に拠り駆動電源と順方向の発電を内部発電抵抗無しに得られる。駆動発電モーターと多段連動すれば、効率の良い駆動力と発電を同時に引出すことが容易となる。多段を繋ぐ整流子とローターは、電子の質量を利用し半導体とすることによりプラス側の物質放電を減らすことが出来る。駆動と発電に伴う内部抵抗のない電動モーターは容易に常温超伝導となり発生する大電流を消化するのみでなく超伝導磁気浮上により芯ぶれの無い摩擦抵抗の無いベアリング状態をも容易に現出する。発生する交流電気電源位置と９０度位相のずれた駆動電源を位置センサーにより区分けすることと、発電と駆動のでんき回路を別回路とすることにより互いの抵抗成分を相手の有効成分とすることも容易だ。
【実施例】
【０００６】実施例は図を用いて説明する。まず既存のモーター断面の磁極が二ｎ極で電気子が三ｎ極のものがおおく、一極の磁極の角度は１５０度である。これと駆動電源の位置を磁極の中心より１５度位相を進めることにより内部発電による起磁力抵抗を内部処理し、効率を最高回転時０．６程度にしているとしている。本発明の実施では図の駆動電源位置に対し９０度位相した発電電源を具備し、自己誘導発電を外部で有効利用するため、電気内部抵抗が無くなり、磁極は±１８０度使用することも可能となる、又二ｎ極の電気子も使用できる。これだけでも効率は１であり、その上，等価発電も発生する。図は駆動モーターで駆動され且つ駆動軸で保持されている発電機である、発電機固定子も重力場から開放し出力軸回転子とし、電気子に前記駆動モーターよりの発生電気を電子の質量と遠心力を利用し駆動電源位置より受電し、電気子と同回転方向に出力軸回転子が回転する方向に電流を流す。電気子の起磁力により出力軸回転子に等価トルクが発生すると同時に差速により発電抵抗とは逆方向の順方向発電が内部抵抗無しに発生する。発生した効率１の電流は駆動電源に対し９０度位相した位置の発電電極より外部電源として供給する。駆動モーターにはこの電源は同相であるから等価電源として利用できる。図の実施例は二段目整流子の回転する円の内側に出力軸回転子の腕を具備し、整流子の内側から出力軸回転子を経過して通電位置を指定された電子を供給し、二段目回転子内で仕事をした電子を同心円状四重の整流子の中心側から外に通電させることにより回路を形成することが可能となった。こうして回転子と固定子あるいは出力軸回転子間の電源伝達方法を、電子の質量と回転体の遠心力を利用し通電することにより荷電粒子の放電の無い滑らかな、通電が可能となった。
【発明の効果】
【０００７】同軸で互いに逆転する多段モーター、図の同軸二段モーターのみでも、互いに駆動と発電の両電極を具備する一段目を駆動発電機とし、二段目を発電駆動機とすることにより、互いに常温超伝導磁気浮上するとともに、駆動力と発生した電気を得、力率４を達成することが出来た。
【図面の簡単な説明】
【０００８】
【図１】  本発明の同軸回転軸とする二段モーターは断面図で図示する。  Ａ    二段目出力軸回転子  Ｂ    二段目回転子コイル  Ｃ    磁石  Ｄ    一段目整流子  Ｄｌ    二段目整流子  Ｅ    一段目固定子  Ｄｂ    二段目二重整流子  Ｆ    電磁力方向  Ｎ    電源ローター  Ｎａ    電源延長ローター  Ｏｒ    整流子−ローター接続ブラシ  Ｏ    電源ブラシ  Ｈ    磁界の方向  Ｉ    電流方向  Ｊ    一段目回転子コイル  Ｇ    フライホイール  Ｓ    ブラシガイド  Ｓｂ    二段目ブラシガイド  Ｋ    四角形内は電磁気力による発電方向、二段目は重力場から見ると  回転が遅れれば方向が逆転する。
2005229788.tif 000002